Podtech/llm-jp-corpus-v4-ja_patent huggingface dataset:
【手続補正書】
【提出日】平成19年6月12日(2007.6.12)
【手続補正１】
【補正対象書類名】明細書
【補正対象項目名】特許請求の範囲
【補正方法】変更
【補正の内容】
【特許請求の範囲】
【請求項１】  人体から電荷を収集及び除去するための個人用の接地装置であって、この装置が、
複数の炭素繊維から構成されているメッシュ層の基板と、基板を実質的に横断するように延在して炭素繊維と導電的に接触している導体と、を含んでなる接地パッドであって、人体と電場的又は導電的に接触するように構成されてなる接地パッドと、
第１の端部が接地パッドの導体に導電的に結合されてなる接地導線と、
接地導線の第２の端部に導電的に結合されてなる接地アンカーと、
を備えていることを特徴とする装置。
【請求項２】  接地パッドは１０％〜２０％の炭素繊維から構成されていることを特徴とする請求項１に記載の装置。
【請求項３】  接地アンカーは地面中に直接配置されていることを特徴とする請求項１に記載の装置。
【請求項４】  接地パッドは睡眠パッドを構成していることを特徴とする請求項１に記載の装置。
【請求項５】  睡眠パッドはマットレスの上に固定して配置できることを特徴とする請求項４に記載の装置。
【請求項６】  接地パッドは座席パッドを構成していることを特徴とする請求項１に記載の装置。
【請求項７】  接地アンカーは車両の金属製の構成要素から構成されていることを特徴とする請求項６に記載の装置。
【請求項８】  接地パッドは人体の部分に巻付けて固定できるストラップから構成されていることを特徴とする請求項１に記載の装置。
【請求項９】  接地パッドは人体の領域に取付可能であるパッチから構成されていることを特徴とする請求項１に記載の装置。
【請求項１０】  パッチは、人体の領域に接着される導電接着層に重ねられてなる、剥離式のストリップを含んでいることを特徴とする請求項９に記載の装置。
【請求項１１】  人体への電気ショックを防止するために、装置に関連したヒューズを含んでいることを特徴とする請求項１に記載の装置。
【請求項１２】  接地導線の端部に取付けられていて、接地アンカーと導電的に結合されている壁板へ着脱可能に取付けることができるようなコネクタを含んでいることを特徴とする請求項１に記載の装置。
【請求項１３】  人体にある又は人体から収集された電荷を読取るための、装置に関連したメーターを含んでいることを特徴とする請求項１に記載の装置。
【請求項１４】  人体から電荷を収集及び除去するための個人用の接地装置であって、この装置が、
複数の炭素繊維から構成されているメッシュ層の基板と、基板を実質的に横断するように延在して炭素繊維と導電的に接触している導体と、を含んでなる接地パッドであって、この接地パッドの上に乗っている人体と電場的又は導電的に接触するように構成されてなる接地パッドと、
第１の端部が接地パッドの導体に導電的に結合されてなる接地導線と、
接地導線の第２の端部に導電的に結合されていて、地面中に直接配置されてなる、接地アンカーと、を備え、
接地パッドの１０％〜２０％は炭素繊維から構成されている、
ことを特徴とする装置。
【請求項１５】  接地パッドは睡眠パッドを構成していることを特徴とする請求項１４に記載の装置。
【請求項１６】  睡眠パッドはマットレスの上に固定して配置できることを特徴とする請求項１５に記載の装置。
【請求項１７】  接地パッドは座席パッドを構成していることを特徴とする請求項１４に記載の装置。
【請求項１８】  人体への電気ショックを防止するために、装置に関連したヒューズを含んでいることを特徴とする請求項１４に記載の装置。
【請求項１９】  接地導線の端部に取付けられていて、接地アンカーと導電的に結合されている壁板へ着脱可能に取付けることができるようなコネクタを含んでいることを特徴とする請求項１４に記載の装置。
【請求項２０】  人体にある又は人体から収集された電荷を読取るための、装置に関連したメーターを含んでいることを特徴とする請求項１４に記載の装置。
【請求項２１】  人体から電荷を収集及び除去するための個人用の接地装置であって、この装置が、
複数の炭素繊維から構成されているメッシュ層の基板と、基板を実質的に横断するように延在して炭素繊維と導電的に接触している導体と、を含んでなる接地パッドであって、人体に着脱可能に取付けられるように構成されてなる接地パッドと、
第１の端部が接地パッドの導体に導電的に結合されてなる接地導線と、
接地導線の第２の端部に導電的に結合されていて、地面中に直接配置されてなる、接地アンカーと、を備え、
接地パッドの１０％〜２０％は炭素繊維から構成されている、
ことを特徴とする装置。
【請求項２２】  接地パッドは人体の部分に巻付けて固定できるストラップから構成されていることを特徴とする請求項２１に記載の装置。
【請求項２３】  接地パッドは人体の領域に取付可能であるパッチから構成されていて、パッチは、人体の領域に接着される導電接着層に重ねられてなる、剥離式のストリップを含んでいることを特徴とする請求項２１に記載の装置。
【請求項２４】  人体への電気ショックを防止するために、装置に関連したヒューズを含んでいることを特徴とする請求項２１に記載の装置。
【請求項２５】  接地導線の端部に取付けられていて、接地アンカーと導電的に結合されている壁板へ着脱可能に取付けることができるようなコネクタを含んでいることを特徴とする請求項２１に記載の装置。
【請求項２６】  人体にある又は人体から収集された電荷を読取るための、装置に関連したメーターを含んでいることを特徴とする請求項２１に記載の装置。
【請求項２７】  人体から電荷を収集及び除去するための個人用の接地装置であって、この装置が、
複数の炭素繊維から構成されているメッシュ層の基板と、基板を実質的に横断するように延在して炭素繊維と導電的に接触している導体と、を含んでなる接地座席パッドであって、この接地パッドの上に乗っている人体と導電的に接触するように構成されてなる接地パッドと、
第１の端部が接地パッドの導体に導電的に結合されてなる接地導線と、
車両の金属製の構成要素から構成されていて、接地導線の第２の端部に導電的に結合されてなる、接地アンカーと、を備え、
接地パッドの１０％〜２０％は炭素繊維から構成されている、
ことを特徴とする装置。
【請求項２８】  人体への電気ショックを防止するために、装置に関連したヒューズを含んでいることを特徴とする請求項２７に記載の装置。
【請求項２９】  接地導線の端部に取付けられていて、接地アンカーと導電的に結合されている壁板へ着脱可能に取付けることができるようなコネクタを含んでいることを特徴とする請求項２７に記載の装置。
【請求項３０】  人体にある又は人体から収集された電荷を読取るための、装置に関連したメーターを含んでいることを特徴とする請求項２９に記載の装置。
【手続補正書】
【提出日】平成19年8月30日(2007.8.30)
【手続補正１】
【補正対象書類名】明細書
【補正対象項目名】特許請求の範囲
【補正方法】変更
【補正の内容】
【特許請求の範囲】
【請求項１】  上面および底面を有する医療用ドレッシングであって、
実質的に接触透明のバッキングと、
前記ドレッシングの前記底面上に露出する第１の感圧接着剤と、
前記ドレッシングの前記底面上に露出する第２の感圧接着剤と、
を含み、前記第２の感圧接着剤が、少なくとも１種類の生体活性物質を含み、実質的に接触透明である医療用ドレッシング。
【請求項２】  内部に複数の空隙が形成されたマスクライナーを提供する工程と、
前記マスクライナーの第１の面の近傍に受取面を配置し、前記マスクライナー内の前記複数の空隙の少なくとも１つを通して前記受取面の少なくとも一部を露出させる工程と、
転写ライナー上に転写接着剤を提供する工程と、
前記マスクライナー内の前記空隙を通して前記露出した受取面の部分に前記転写接着剤の少なくとも一部を転写する工程と、
を含む基材に接着剤を転写する方法。
【請求項３】  前記受取面が、前記受取面に露出する第１の感圧接着剤を含む実質的に接触透明のバッキングを含む、請求項１に記載の医療用ドレッシングの製造方法。
【誤訳訂正書】
【提出日】平成19年3月22日(2007.3.22)
【誤訳訂正１】
【訂正対象書類名】明細書
【訂正対象項目名】特許請求の範囲
【訂正方法】変更
【訂正の内容】
【特許請求の範囲】
【請求項１】  集積回路（１００）の層状超格子材料の薄膜（１２４、２２６、５２８、５７８，７２８）を形成する方法であって、
４０ｎｍより薄い厚さを有する該層状超格子材料のシード層（５５２、５７２、７２２）を第１の基板温度で加熱された基板上に堆積するために、該加熱された基板を含むＣＶＤ反応チャンバ（４３０）内に、該層状超格子材料を形成するのに適している第１の反応体ガスを流し込む工程（３１０）と、
該加熱された基板上の該シード層を処理する工程（３１２、３１４）と、
該層状超格子材料の薄膜を形成するために、前記第１の基板温度より１０℃〜１００℃低い第２の基板温度で加熱された基板を含むＣＶＤ反応チャンバ内に、該層状超格子材料を形成するのに適している第２の反応体ガスを流し込む工程（３１６）と、
を含む、方法。
【請求項２】  前記加熱された基板は、前記第１の反応体ガスを流し込む工程の間、４００℃〜７００℃の範囲内の前記第１の基板温度を有する、請求項１に記載の方法。
【請求項３】  前記シード層は、１ｎｍ〜２５ｎｍの範囲内の厚さを有する、請求項１に記載の方法。
【請求項４】  前記シード層を処理する工程は、該シード層を高速熱処理する工程を含む、請求項１に記載の方法。
【請求項５】  前記シード層を高速熱処理する工程は、６００℃〜７００℃の範囲内の温度で行われる、請求項４に記載の方法。
【請求項６】  前記シード層を高速熱処理する工程は、３０秒〜１０分の範囲内の期間だけ行われる、請求項４に記載の方法。
【請求項７】  前記シード層を処理する工程は、該シード層を炉アニールする工程を含む、請求項１に記載の方法。
【請求項８】  前記シード層を炉アニールする工程は、４００℃〜７００℃の範囲内の温度で行われる、請求項７に記載の方法。
【請求項９】  前記シード層を炉アニールする工程は、１０分〜３０分の範囲内の期間で行われる、請求項８に記載の方法。
【請求項１０】  前記第２の反応体ガスを流し込む工程の間、前記加熱された基板は、４００℃〜７００℃の範囲内の前記第２の基板温度を有する、請求項１に記載の方法。
【請求項１１】  前記層状超格子材料の薄膜を処理する工程をさらに含む、請求項１に記載の方法。
【請求項１２】  前記層状超格子材料の薄膜を処理する工程は、該層状超格子材料の薄膜を高速熱処理する工程を含む、請求項１１に記載の方法。
【請求項１３】  前記層状超格子材料の薄膜を高速熱処理する工程は、６００℃〜７００℃の範囲内の温度で行われる、請求項１２に記載の方法。
【請求項１４】  前記層状超格子材料の薄膜を高速熱処理する工程は、３０秒〜１０分の範囲内の期間で行われる、請求項１３に記載の方法。
【請求項１５】  前記層状超格子材料の薄膜を処理する工程は、該層状超格子材料の薄膜を炉アニールする工程を含む、請求項１４に記載の方法。
【請求項１６】  前記層状超格子材料の薄膜を炉アニールする工程は、６００℃〜７００℃の範囲内の温度で行われる、請求項１５に記載の方法。
【請求項１７】  前記層状超格子材料の薄膜を炉アニールする工程は、１０分〜３０分の範囲内の期間で行われる、請求項１６に記載の方法。
【請求項１８】  前記層状超格子材料の薄膜を処理する工程は、該層状超格子材料の薄膜を炉アニールする工程を含む、請求項１に記載の方法。
【請求項１９】  前記層状超格子材料の薄膜を炉アニールする工程は、５５０℃〜６５０℃の範囲内の温度で行われる、請求項１８に記載の方法。
【請求項２０】  前記層状超格子材料の薄膜を炉アニールする工程は、１０分〜３時間の範囲内の期間で行われる、請求項１８に記載の方法。
【請求項２１】  前記層状超格子材料は、０≦ｘ≦１の場合のＳｒＢｉ２（Ｔａ１−ｘＮｂｘ）２Ｏ９の式を有する材料を含む、請求項１に記載の方法。
【請求項２２】  前記シード層は、前記層状超格子材料より高いＮｂ含有量を有する、請求項２１に記載の方法。
【誤訳訂正２】
【訂正対象書類名】明細書
【訂正対象項目名】００１７
【訂正方法】変更
【訂正の内容】
【００１７】
第１の実施形態において、シード層は、典型的には、かなり連続的で、一様に厚い層であり、好適には約２５ｎｍの厚さである。しかし、第２の一般的な実施形態において、第１の反応体ガスによって形成されたシード層は、連続的な層よりむしろ、層状超格子材料の「島」を含み得る。より厚い層を堆積することから知られた堆積速度に基づいて、５ｎｍ〜２５ｎｍの範囲内、好適には約１０ｎｍの「名目上の厚さ」を有する層に対応する第１の前駆化合物の量が、ＣＶＤ反応チャンバ内に流し込まれる。量が非常に少ないため、金属含有化合物の一様でない堆積は、滑らかで一様なコーティングよりむしろ、材料の島として基板上に堆積される。この厚さは、厚さが一様でなく、実際的に測定可能でないため、「名目上の厚さ」と呼ばれる。堆積されたシード層の量は、量が一様に分配されないにも関わらず、知られた堆積平均速度で所定の期間内に堆積される量に対応する。６００℃〜７００℃の範囲内の第１の基板温度において、通常、加熱された基板だけで、島内に最初に堆積される金属化合物の反応および結晶化のための十分な加熱が提供されて、層状超格子材料が形成される。ＲＴＰおよび炉アニールによるオプション処理は、シード層内の結晶質層状超格子材料の島の形成を向上させる。第２の反応体ガスがＣＶＤ反応チャンバ内に流し込まれる間、基板は、第２の基板温度によって加熱される。第２の基板温度は、第１の基板温度より１０℃〜１００℃低い。第２の反応体ガスが分解し、加熱された基板上に金属化合物を堆積する場合、シード層の結晶質の島の表面でのみ結晶成長が起こり、結果として、最終的な多結晶の層状超格子材料の薄膜において、大きな粒子サイズが得られる。この実施形態において、第２の反応体ガスを流し込む前に、シード層の処理を行う必要はない。ＲＴＰまたは炉アニールによる処理は、オプションとして、層状超格子材料の形成を向上させるために、第２の反応体ガスの反応前または後に行われ得る。
【誤訳訂正３】
【訂正対象書類名】明細書
【訂正対象項目名】００５０
【訂正方法】変更
【訂正の内容】
【００５０】
別の変形例において、２５ｎｍより薄い、好適には、約１０ｎｍの名目状の厚さを有する非常に薄いシード層が、工程３１０において堆積される。図９に示すように、一様な厚さを有する層ではなく、「島」５７２がウェハ５５０の基板５７０上に堆積する。この変形例において、６００℃〜７００℃の加熱された基板５７０の典型的な第１の基板温度は、典型的には、島５７２に堆積された材料の反応および結晶化を引き起こすのに十分であり、図１０に示すように、結晶質層状超格子材料の島５７４が形成される。その後、図１１に示すように、工程３１６において、第１の基板温度より約１０℃〜１００℃低い第２の基板温度で、さらなる材料５７６が加熱された基板５７０上に堆積される。結晶質の島５７４および加熱された基板の熱の存在は、典型的には、図１２に示すように、増加した粒子サイズを有する多結晶の層状超格子材料の薄膜５７８の反応および結晶化に十分である。
【手続補正書】
【提出日】平成19年10月17日(2007.10.17)
【手続補正１】
【補正対象書類名】明細書
【補正対象項目名】特許請求の範囲
【補正方法】変更
【補正の内容】
【特許請求の範囲】
【請求項１】  プリント回路基板アセンブリであって、
プリント回路基板（ＰＣＢ）を含み、前記ＰＣＢはボールグリッドアレイ（ＢＧＡ）フットプリントを形成する複数個のコンタクトパッドを含み、さらに、
前記複数個のコンタクトパッドに電気的に接続される複数個のコンタクトを有するＢＧＡパッケージと、
前記ＰＣＢと前記ＢＧＡパッケージとの間に介在するキャパシタとを含み、
前記複数個のコンタクトパッドは前記ＰＣＢの第１の表面上に位置し、前記キャパシタは、前記ＰＣＢの前記第１の表面上に位置するさらなるコンタクトパッドに接続され、
前記ＢＧＡおよび前記キャパシタは前記ＰＣＢの共通の実質的に平面的な表面に搭載される、プリント回路基板アセンブリ。
【請求項２】  前記さらなるコンタクトパッドは、前記ＢＧＡフットプリントの周辺部によって規定される領域の内側に位置する、請求項１に記載のプリント回路基板アセンブリ。
【請求項３】  前記キャパシタはリードなしのキャパシタである、請求項２に記載のプリント回路基板アセンブリ。
【請求項４】  前記キャパシタはキャパシタパッケージ内に含まれる、請求項３に記載のプリント回路基板アセンブリ。
【請求項５】  前記キャパシタパッケージは第１のキャパシタおよび第２のキャパシタを含む、請求項４に記載のプリント回路基板アセンブリ。
【請求項６】  前記第１のキャパシタおよび前記第２のキャパシタは異なったキャパシタンス値を有する、請求項５に記載のプリント回路基板アセンブリ。
【請求項７】  前記第１のキャパシタのキャパシタンス値と前記第２のキャパシタのキャパシタンス値とは１０倍だけ異なる、請求項６に記載のプリント回路基板アセンブリ。
【請求項８】  前記キャパシタは厚さが０．５ミリメートル以下である、請求項３に記載のプリント回路基板アセンブリ。
【請求項９】  前記キャパシタは±２０％の許容値を有する、請求項３に記載のプリント回路基板アセンブリ。
【請求項１０】  複数個の電気的コンタクトを含むボールグリッドアレイ（ＢＧＡ）パッケージに対して減結合キャパシタンスを与えるための方法であって、前記方法は、
キャパシタをプリント回路基板（ＰＣＢ）上に搭載するステップを含み、前記ＰＣＢは、ボールグリッドアレイ（ＢＧＡ）フットプリントを形成する複数個のコンタクトパッドを含み、さらに、
前記ＢＧＡパッケージを前記ＰＣＢに搭載するステップを含み、前記電気的コンタクトは前記複数個のコンタクトパッドに電気的に接続され、前記キャパシタは、前記ＢＧＡと前記ＰＣＢとの間に介在し、さらに、前記ＢＧＡおよび前記キャパシタは前記ＰＣＢの共通の実質的に平面的な表面に搭載される、方法。
【請求項１１】  前記複数個のコンタクトパッドは前記ＰＣＢの第１の表面上に位置し、前記キャパシタは、前記ＰＣＢの前記第１の表面上に位置するさらなるコンタクトパッドに接続される、請求項１０に記載の方法。
【請求項１２】  前記さらなるコンタクトパッドは、前記ＢＧＡフットプリントの周辺部によって規定される領域の内側に位置する、請求項１１に記載の方法。
【請求項１３】  前記キャパシタはリードなしのキャパシタである、請求項１２に記載の方法。
【請求項１４】  前記キャパシタはキャパシタパッケージ内に含まれる、請求項１３に記載の方法。
【請求項１５】  前記キャパシタパッケージは第１のキャパシタおよび第２のキャパシタを含む、請求項１４に記載の方法。
【請求項１６】  前記第１のキャパシタおよび前記第２のキャパシタは異なったキャパシタンス値を有する、請求項１５に記載の方法。
【請求項１７】  前記第１のキャパシタのキャパシタンス値と前記第２のキャパシタのキャパシタンス値とは１０倍だけ異なる、請求項１６に記載の方法。
【請求項１８】  前記キャパシタは厚さが０．５ミリメートル以下である、請求項１３に記載の方法。
【請求項１９】  前記キャパシタは±２０％の許容値を有する、請求項１３に記載の方法。
【請求項２０】  プリント回路基板アセンブリであって、
プリント回路基板（ＰＣＢ）を含み、前記ＰＣＢはボールグリッドアレイ（ＢＧＡ）フットプリントを形成する複数個のコンタクトパッドを含み、さらに、
前記複数個のコンタクトパッドに電気的に接続される複数個のコンタクトを有するＢＧＡパッケージと、
前記ＰＣＢと前記ＢＧＡパッケージとの間に介在するキャパシタとを含み、
前記複数個のコンタクトパッドは前記ＰＣＢの第１の表面上に位置し、前記キャパシタは、前記ＰＣＢの前記第１の表面上に位置するさらなるコンタクトパッドに接続され、
前記キャパシタは厚さが０．５ミリメートル以下である、プリント回路基板アセンブリ。
【請求項２１】  前記さらなるコンタクトパッドは、前記ＢＧＡフットプリントの周辺部によって規定される領域の内側に位置する、請求項２０に記載のプリント回路基板アセンブリ。
【請求項２２】  前記キャパシタはリードなしのキャパシタである、請求項２０に記載のプリント回路基板アセンブリ。
【請求項２３】  プリント回路基板アセンブリであって、
プリント回路基板（ＰＣＢ）を含み、前記ＰＣＢはボールグリッドアレイ（ＢＧＡ）フットプリントを形成する複数個のコンタクトパッドを含み、さらに、
はんだ付け材料によって前記複数個のコンタクトパッドに電気的に接続される複数個のコンタクトを有するＢＧＡパッケージと、
前記ＰＣＢと前記ＢＧＡパッケージとの間に介在するキャパシタとを含み、
前記複数個のコンタクトパッドは前記ＰＣＢの第１の表面上に位置し、前記キャパシタは、前記ＰＣＢの前記第１の表面上に位置するさらなるコンタクトパッドに接続され、
前記キャパシタは、はんだ付け材料の高さよりも厚くない、プリント回路基板アセンブ
リ。
【請求項２４】  前記キャパシタは厚さが０．５ミリメートル以下である、請求項２３に記載のプリント回路基板アセンブリ。
【請求項２５】  前記さらなるコンタクトパッドは、前記ＢＧＡフットプリントの周辺部によって規定される領域の内側に位置する、請求項２３に記載のプリント回路基板アセンブリ。
【請求項２６】  前記キャパシタはリードなしのキャパシタである、請求項２３に記載のプリント回路基板アセンブリ。
【手続補正書】
【提出日】平成19年8月22日(2007.8.22)
【手続補正１】
【補正対象書類名】明細書
【補正対象項目名】特許請求の範囲
【補正方法】変更
【補正の内容】
【特許請求の範囲】
【請求項１】  統合ネットワークスイッチにおける方法であって、
受信したレイヤ２データパケットから予め規定されたネットワークアプリケーションに対するアプリケーション状態を判断するステップと、
判断したアプリケーション状態に基づいて、受信したレイヤ２データパケットのソースおよびレイヤ２データパケットのデスティネーションの少なくとも１つを指定するネットワークスイッチアドレステーブルからアドレスエントリを選択的に削除するステップとを含む、方法。
【請求項２】  予め規定されたネットワークアプリケーションのそれぞれの利用可能なアプリケーション状態からアプリケーション状態を識別するよう構成された複数のテンプレートを、受信レイヤ２データパケットを受信したネットワークスイッチポート内にストアするステップをさらに含む、請求項１に記載の方法。
【請求項３】  ストアするステップは、受信したレイヤ２データパケットからの利用可能なアプリケーション状態の最初の１つを識別するネットワークスイッチポートに応答して、複数のテンプレートをストアするステップを含む、請求項２に記載の方法。
【請求項４】  利用可能なアプリケーション状態の１つの検出によって判断されかつこれに応答して開始されるアプリケーション特有エイジング間隔の後に、アプリケーション特有エイジング間隔の間の判断されたアドレスエントリのインアクティビティに基づいて、アドレスエントリをネットワークスイッチアドレステーブルから削除するステップをさらに含む、請求項３に記載の方法。
【請求項５】  選択的に削除するステップは、予め規定されたネットワークアプリケーションに対するセッションの終了を指定する判断されたアプリケーション状態に基づいて、アドレスエントリを削除するステップを含む、請求項１に記載の方法。
【請求項６】  検出するステップは、受信レイヤ２データパケットの受信の間に、予め規定されたネットワークアプリケーションに対するセッションの終了を識別するために用いられるフレームデータを指定する、受信レイヤ２データパケットの選択された部分を複数の極小項と比較するステップと、
受信レイヤ２データパケットの選択された部分がそれぞれの極小項と整合するかどうかを判断するステップと、
判断するステップに基づいて、比較結果を生成するステップとを含む、請求項５に記載の方法。
【請求項７】  判断するステップは、受信レイヤ２データパケットと、それぞれの利用可能な予め規定されたネットワークアプリケーションを識別するために用いられるフレームデータを指定する多数のテンプレートとの同時比較に基づいて、複数の利用可能な予め規定されたネットワークアプリケーションから、予め規定されたネットワークアプリケーションに対するアプリケーション状態を判断するステップを含む、請求項１に記載の方法。
【請求項８】  アプリケーション状態を判断するステップに応答して、アドレスエントリに対するアプリケーション特有エイジング間隔をカウントするよう構成されるアプリケーション特有エイジングタイマを開始させるステップと、
アプリケーション特有エイジング間隔の満了の際に、アドレスエントリがアクセスされていなければアドレスエントリを削除するステップとをさらに含む、請求項１に記載の方法。
【請求項９】  アプリケーション特有エイジング間隔の間のアドレスエントリのアクセスの検出に応答して、アプリケーション特有エイジングタイマをリセットするステップをさらに含む、請求項８に記載の方法。
【請求項１０】  ネットワークスイッチであって、
ネットワークスイッチポートを含み、各ネットワークスイッチポートは、受信レイヤ２データパケットから複数の予め規定されたネットワークアプリケーションのうちの検出された１つに対するアプリケーション状態を判断するよう構成されるパケットクラシファイアを含み、さらに
スイッチング論理を含み、スイッチング論理は、判断されたアプリケーション状態と、検出された１つの予め規定されたネットワークアプリケーションに基づくアプリケーション特有エイジング間隔の間の、判断されたアドレスエントリのインアクティビティとに基づいて、受信レイヤ２データパケットのソースおよびレイヤ２データパケットのデスティネーションの少なくとも１つを指定するアドレスエントリを選択的に削除するよう構成される、ネットワークスイッチ。
【請求項１１】  スイッチング論理は、
受信レイヤ２データパケットからのアプリケーション状態の検出に応答して、アドレスエントリに対するアプリケーション特有エイジング間隔のカウントを開始するよう構成されるプログラム可能タイマを含む、請求項１０に記載のスイッチ。
【請求項１２】  スイッチング論理は、
第２のアドレスエントリに対する第２のアプリケーション特有エイジング間隔をカウントするよう構成される、第２のプログラム可能タイマを含む、請求項１０に記載のスイッチ。
【請求項１３】  受信レイヤ２データパケットに対するアドレスエントリおよび第２のアドレスエントリをストアするよう構成される、ネットワークスイッチアドレステーブルをさらに含む、請求項１２に記載のスイッチ。
【手続補正書】
【提出日】平成19年2月27日(2007.2.27)
【手続補正１】
【補正対象書類名】明細書
【補正対象項目名】特許請求の範囲
【補正方法】変更
【補正の内容】
【特許請求の範囲】
【請求項１】  ピリチオン塩の凝集解消粒子の懸濁物、エマルジョン、又は分散物を製造する方法において、凝集ピリチオン塩粒子を凝集解消剤と、音響エネルギーの存在下に、接触させ、ピリチオン塩の凝集解消粒子の前記懸濁物、エマルジョン、又は分散物を生成させることを特徴とする製造方法。
【請求項２】  凝集解消剤を、電解質、界面活性剤、分散剤、及びそれらの組合せからなる群から選択する、請求項１に記載の方法。
【請求項３】  電解質を、アルカリ金属又はアルカリ土類金属の塩、アルカリ金属又はアルカリ土類金属の酸化物、アルカリ金属又はアルカリ土類金属の水酸化物、及びそれらの組合せからなる群から選択する、請求項２に記載の方法。
【請求項４】  電解質が前記懸濁物、エマルジョン又は分散物中に、混合物の全重量に基づき約０．０１〜１０重量％の量で存在する、請求項２に記載の方法。
【請求項５】  前記分散剤が重合又は未重合アルキルナフタレンスルホン酸の塩である、請求項２に記載の方法。
【請求項６】  前記音響エネルギーが約２０Ｈｚ〜約９００ｋＨｚの周波数を有する、請求項１に記載の方法。
【請求項７】  音響エネルギーが約２０〜約５０００Ｗのエネルギーレベルを有する、請求項２に記載の方法。
【請求項８】  ピリチオン塩のサブミクロン粒径粒子が、棒、針、円筒、円錐、楕円体、角柱、平行六面体、角錐、四面体、六面体（立方体）、八面体、十二面体、二十面体、及びそれらの組合せから本質的になる群から選択された形態を有する、請求項１に記載の方法。
【請求項９】  ピリチオン塩の凝集解消サブミクロン粒径粒子を製造する方法において、
ａ）  １〜５０μの範囲の粒径を有するピリチオン塩の大きな粒子を濾過して濾過粒子を与え、
ｂ）  前記濾過粒子を、電解質、界面活性剤、分散剤、及びそれらの組合せからなる群から選択された少なくとも一種類の凝集解消剤と接触させ、凝集解消された粒子の懸濁物又は分散物を与え、そして
ｃ）  凝集解消粒子の大きさをサブミクロンの大きさへ減少させるために前記凝集解消粒子を少なくとも６０℃の上昇させた温度へ加熱し、それによりピリチオン塩の前記凝集解消サブミクロン粒径粒子を生成させる、
諸工程を包含するピリチオン粒子製造方法。
【請求項１０】  シャンプー、石鹸、スキンケアー薬品、及びそれらの組合せからなる群から選択された少なくとも一種類の成分を含み、更に請求項１〜９のいずれか１項に記載の方法により製造された凝集解消粒子を抗菌に有効な量含有する人ケアー組成物。
【手続補正書】
【提出日】平成18年12月25日(2006.12.25)
【手続補正１】
【補正対象書類名】明細書
【補正対象項目名】００２８
【補正方法】変更
【補正の内容】
【００２８】
α胎児性タンパク質(AFP)は、N-アラキドノイルアミノエチルホスフェート(N-AAP)と結合して可逆的平衡複合体を形成する。このタンパク質は、N-AAPを分子300まで含有するミセルと可逆的に結合する(同じ本発明者による国際出願 PCT/EP99/04201参照)。
【手続補正２】
【補正対象書類名】明細書
【補正対象項目名】００４５
【補正方法】変更
【補正の内容】
【００４５】
2-シアノエチル・ホスフェートのバリウム塩をピリジン塩に、Dowex-50 樹脂カラムを通して変換した(ピリジン体)。溶出液を蒸発し、乾燥ピリジンの追加部分の蒸発を繰り返して塩を乾燥した。
【手続補正３】
【補正対象書類名】明細書
【補正対象項目名】００６８
【補正方法】変更
【補正の内容】
【００６８】
実施例１０：N-(シス-5,8,11,14-エイコサテトラエノイル)-O-ホスホ-L-チロシン（N-アラキドノイル-O-ホスホ-L-チロシン）(8)の合成
アラキドン酸 (152 mg, 0.5 mmol)およびトリエチルアミン(52 mg, 0.51 mmol)を3 mlの乾燥アセトニトリルに溶解し、-15 ℃に冷やし、70 mg (0.51 mmol)のブチルクロロホルメートを加えた。30 分後に、沈澱したトリエチルアミン塩酸塩を除いた混合物をチロシンメチルエステル塩酸塩（232 mg, 1 mmol) およびトリエチルアミン（0.14ml)のメタノール液 1 ml にピペットで移し、15 分間 -15 ℃で攪拌し、得た混合物を室温で温めた。2 時間後、0.5 M HC1を加え、混合物をエーテル(20 ml)で抽出した。抽出物を水で洗い、次いでNa2SO4で乾燥し、減圧で蒸発した。残渣を2 mlのクロロホルムに溶解し、カラム(2x 2 cm)クロマトグラフィーで酸化アルミニウム上(塩基性, Brockmann II)で精製した。カラムをクロロホルム-メタノール(9:1 v/v)で溶出し、適当なフラクションを蒸発すると、222 mg (95) の所望のN-アラキドノイル-L-チロシンメチルエステルを油状で得た。TLC (A系) Rf 0.6。
【手続補正４】
【補正対象書類名】明細書
【補正対象項目名】０１１５
【補正方法】変更
【補正の内容】
【０１１５】
注射 5 日後の AFC 相対量は、対照群で 406.4 ± 16.8、化合物 4 の 45.5 μg/マウスの試験群で 405.0 ± 47.9、p > 0.05、化合物 4 の 91 μg/マウスの試験群で 692.9 ± 44.8、p < 0.001、化合物 4 の 136.5 μg/マウスの試験群で 1354.3 ± 99.9、p < 0.001であった。全 AFC 量は、対照群で(60.4 ± 3.9).103、化合物 4 の 45.5 μg/マウスの試験群で(55.0 ± 6.7).103、p > 0.05、化合物 4 の 91 μg/マウスの試験群で(87.6 ± 4.3).103、p < 0.001、化合物 4 の 136.5 μg/マウスの試験群で(138.9 ± 10.0).103、p < 0.001であった。さらに、化合物 4 の 136.5 μg/マウスの試験群で免疫マウスの血清において赤血球凝集力価の有意の増加があり、対照群では 6.2 ± 0.3 なのに対し、化合物 4 の 136.5 μg/マウスの試験群では 7.5 ± 0.2、p < 0.01であった(表 6)。
【手続補正５】
【補正対象書類名】明細書
【補正対象項目名】０１２６
【補正方法】変更
【補正の内容】
【０１２６】
実施例３２：化合物 1a の液素性免疫応答に対する作用
0.15 ml の化合物 1a を C57BI/6 系の雌マウス 6 匹 (体重 18-22 g)に、用量による各試験群のために１匹につき用量 45.5、91、136.5 μg で静脈投与した。同時に 5.107 のヒツジ赤血球の懸濁液を腹腔内投与した(1匹につき 0.2 ml)。対照群のマウスに同量の塩類液を静脈投与した。液素性免疫に対する化合物 1a の作用を、Cunningham による脾臓中の AFC 量の計量(106 脾臓細胞につき、および脾臓につき) および血清中の赤血球凝集抗体力価の検定の両方により分析した。
【手続補正６】
【補正対象書類名】明細書
【補正対象項目名】０１４１
【補正方法】変更
【補正の内容】
【０１４１】
化合物 17 の免疫原活性は用量依存性である。化合物 17 は、用量 45.5 μg/および 91 μg/マウスで免疫原活性を示さないが、同時に化合物 17 は、用量 136.5 μｇ/マウスでかなりの免疫促進作用を示す。そして、化合物 17 の注射５日後で、AFC の相対量の 31の増加および全 AFC 量の 30の増加が、ヒツジ赤血球のみで免疫したマウスの細胞量に比して見られた。
【手続補正７】
【補正対象書類名】明細書
【補正対象項目名】０１６１
【補正方法】変更
【補正の内容】
【０１６１】
注射 5 日後の AFC 相対量は、対照群で 622.3 ± 19.1、AFP 試験群で 573.3 ± 63.6、p > 0.05、化合物 14 試験群で 645.8 ± 64.4、p > 0.05、複合体試験群で 967.3 ± 44.7、p < 0.05であった。全 AFC 量は、対照群で(71.9 ± 12.0).103、AFP 試験群で(69.8 ± 14.2).103、p > 0.05、化合物 14 のみの試験群で(80.8 ± 12.7).103、p > 0.05、複合体試験群で(110.1 ± 9.7).103、p < 0.05であった。
【手続補正８】
【補正対象書類名】明細書
【補正対象項目名】０１６９
【補正方法】変更
【補正の内容】
【０１６９】
実施例４４：ラット AFP / 化合物 1 複合体（1:100) の液素性免疫応答に対する作用
0.15 ml の AFP / 化合物 1 複合体 を C57BI/6 系の雌マウス 6 匹 (体重 18-22 g)に、１匹につき用量、9 μg の AFP および 91 μg の化合物 1 で、静脈投与した。化合物 1 群では、45.5 μg の化合物 1 のみを静注した。AFP 群では、9 μg の AFP のみを静注した。対照群のマウスに同量の塩類液を静脈投与した。液素性免疫に対する複合体 AFP / 化合物 1 の作用を、Cunningham による脾臓中の AFC 量の計量 (106 脾臓細胞につき、および脾臓につき) で分析した。
【手続補正書】
【提出日】平成19年4月20日(2007.4.20)
【手続補正１】
【補正対象書類名】明細書
【補正対象項目名】特許請求の範囲
【補正方法】変更
【補正の内容】
【特許請求の範囲】
【請求項１】  ５−アミノイミダゾール−４−カルボキサミド塩を含む、アルコール、治療薬、毒素又は反応性の治療薬代謝物を含む薬剤により生じる組織ダメージを抑制するための医薬組成物。
【請求項２】  塩が、５−アミノイミダゾール−４−カルボキサミドと、オロチン酸、乳酸、コハク酸、マレイン酸、クエン酸、酒石酸、グルコン酸、ガラクトン酸、塩酸及びリン酸からなる群より選ばれる酸との組み合せから誘導される、請求項１に記載の医薬組成物。
【請求項３】  更に、Ｎ−アセチルシステイン、ビタミンＥ、ビタミンＡ及びその誘導体、ビタミンＣ、グルタチオン、システイン、メチオニン、及び２−メルカプトエタノールからなる群より選ばれる酸化防止剤を含む、請求項２に記載の医薬組成物。
【手続補正書】
【提出日】平成19年5月8日(2007.5.8)
【手続補正１】
【補正対象書類名】明細書
【補正対象項目名】特許請求の範囲
【補正方法】変更
【補正の内容】
【特許請求の範囲】
【請求項１】  複雑なアルコールのリン酸化方法であって、以下の工程
(a)80℃以下の温度において、追加溶媒を加えることなく、１種以上の複雑なアルコールとＰ4Ｏ10との均質混合物を形成すること、及び
(b)この均質混合物を80℃以下の温度において、リン酸化された複雑なアルコールの二水素形態の形成が実質的に完了するまで反応させ続けること
を含む方法。
【請求項２】  工程(a)及び(b)における温度が０〜50℃である、請求項１記載の方法。
【請求項３】  工程(a)及び(b)における温度が０〜40℃である、請求項２記載の方法。
【請求項４】  工程(a)及び(b)における温度が約70℃である、請求項１記載の方法。
【請求項５】  複雑なアルコールに対するリンの比が実質的に等モルである、請求項１又は４記載の方法。
【請求項６】  複雑なアルコールに対するＰ4Ｏ10の比が実質的に等モルである、請求項２又は３記載の方法。
【請求項７】  工程(b)における反応時間が約30分を超えない、請求項５記載の方法。
【請求項８】  工程(b)における反応時間が約10分を超えない、請求項６記載の方法。
【請求項９】  工程(a)における均質混合物が脂肪族酸の存在下において形成される、請求項１〜８のいずれか１項に記載の方法。
【請求項１０】  前記脂肪族酸が遊離脂肪酸である、請求項９記載の方法。
【請求項１１】  請求項１〜１０のいずれか１項に記載の方法により製造された、複雑なアルコールのホスフェート誘導体。
【手続補正書】
【提出日】平成19年10月25日(2007.10.25)
【手続補正１】
【補正対象書類名】明細書
【補正対象項目名】特許請求の範囲
【補正方法】変更
【補正の内容】
【特許請求の範囲】
【請求項１】  プロスタグランジン関連化合物を活性成分として含有し、ヒト患者に対し長期間、眼局所に投与される、高眼圧症および緑内障の長期治療もしくは予防的制御に適した医薬組成物。
【請求項２】  プロスタグランジン関連化合物を活性成分として含有し、ヒト患者に対し長期間、眼局所に投与される、高眼圧症および緑内障の長期治療もしくは予防的制御に適した医薬組成物であって、該プロスタグランジン関連化合物が式（Ｉ）
【化１】
2003526660.tif 000001
［式中、Ｗ１、Ｗ２およびＷ３は炭素原子あるいは酸素原子、
Ｌ、ＭおよびＮは、水素、ヒドロキシ、ハロゲン原子、低級アルキル、低級アルコキシ、ヒドロキシ（低級）アルキルまたはオキソ
（ただし、ＬおよびＭの基のうちの少なくとも１つは、水素以外の基であり、５員環は少なくとも１つの二重結合を有していてもよい）；
Ａは、−ＣＨ２ＯＨ、−ＣＯＣＨ２ＯＨ、−ＣＯＯＨまたはそれらの官能性誘導体；
Ｂは、単結合、−ＣＨ２−、−ＣＨ２−ＣＨ２−、−ＣＨ＝ＣＨ−、−Ｃ≡Ｃ−、−ＣＨ２−ＣＨ２−ＣＨ２−、−ＣＨ＝ＣＨ−ＣＨ２−、−ＣＨ２−ＣＨ＝ＣＨ−、−Ｃ≡Ｃ−ＣＨ２−または−ＣＨ２−Ｃ≡Ｃ−；
Ｒｌは、非置換またはハロゲン、アルキル、ヒドロキシ、オキソ、アリールまたは複素環で置換された、二価の飽和または不飽和の低〜中級の脂肪族炭化水素残基；
Ｒａは、非置換またはハロゲン、オキソ、ヒドロキシ、低級アルキル、低級アルコキシ、低級アルカノイルオキシ、シクロ（低級）アルキル、シクロ（低級）アルキルオキシ、アリール、アリールオキシ、複素環または複素環オキシで置換された、飽和または不飽和の低〜中級脂肪族炭化水素残基；シクロ（低級）アルキル；シクロ（低級）アルキルオキシ；アリール；アリールオキシ；複素環；複素環オキシ］
で示される化合物である組成物。
【請求項３】  Ａの官能性誘導体が、塩、エーテル、エステルおよびアミドである、請求項２記載の組成物。
【請求項４】  Ａが式−ＣＯＮＲ’Ｒ”（式中、Ｒ’およびＲ”はそれぞれ水素、低級アルキル、アリール、アルキル−またはアリール−スルホニル、低級アルケニルおよび低級アルキニル）で示される、請求項３記載の組成物。
【請求項５】  プロスタグランジン関連化合物が１３，１４−ジヒドロー１５−ケト−２０−エチルＰＧＦ２αイソプロピルエステルである請求項２または３記載の組成物。
【請求項６】  プロスタグランジン関連化合物が１５−ケトラタノプロストである、請求項２または３記載の組成物。
【請求項７】  １日１回以上、６ヶ月以上投与するのに適している、請求項５または６記載の組成物。
【請求項８】  １日２回、６ヶ月以上投与するのに適している、請求項７記載の組成物。
【請求項９】  ヒト患者が白人種である、請求項８記載の方法。
【請求項１０】  プロスタグランジン関連化合物が１５−ケト置換基を有し、オメガ鎖にフェニル環を有するものである、請求項１記載の組成物。
【請求項１１】  プロスタグランジン関連化合物を活性成分として含有し、ヒト患者に対し長期間、眼局所に投与される、高眼圧症および緑内障の長期治療もしくは予防的制御に適した医薬組成物であって、プロスタグランジン関連化合物が式（III）：
【化２】
2003526660.tif 000002
［式中、Ｗ１、Ｗ２、およびＷ３は炭素または酸素原子；
Ｌ、ＭおよびＮは、水素、ヒドロキシ、ハロゲン、低級アルキル、低級アルコキシ、ヒドロキシ（低級）アルキルまたはオキソ（ただし、ＬおよびＭの基のうちの少なくとも１つは、水素以外の基であり、５員環は少なくとも１つの二重結合を有していてもよい）；
Ａは、−ＣＨ２ＯＨ、−ＣＯＣＨ２ＯＨ、−ＣＯＯＨまたはそれらの官能性誘導体；
Ｂは、単結合、−ＣＨ２−、−ＣＨ２−ＣＨ２−、−ＣＨ＝ＣＨ−、−Ｃ≡Ｃ−、−ＣＨ２−ＣＨ２−ＣＨ２−、−ＣＨ＝ＣＨ−ＣＨ２−、−ＣＨ２−ＣＨ＝ＣＨ−、−Ｃ≡Ｃ−ＣＨ２−または−ＣＨ２−Ｃ≡Ｃ−；
Ｒｌは、非置換またはハロゲン、アルキル、ヒドロキシ、オキソ、アリールまたは複素環で置換された、二価の飽和または不飽和の低〜中級の脂肪族炭化水素残基；
Ｚは
【化３】
2003526660.tif 000003
（式中、Ｒ４およびＲ５は水素、ヒドロキシ、ハロゲン、低級アルキル、低級アルコキシまたはヒドロキシ（低級）アルキルであり、Ｒ４およびＲ５は同時にヒドロキシ、低級アルコキシおよび／またはヒドロキシ（低級）アルキルとなることはない）；
Ｒａ′は、非置換またはハロゲン、オキソ、ヒドロキシ、低級アルキル、低級アルコキシ、低級アルカノイルオキシ、シクロ（低級）アルキル、シクロ（低級）アルキルオキシ、アリール、アリールオキシ、複素環または複素環オキシで置換された、飽和または不飽和のＣ５〜Ｃ１０脂肪族炭化水素残基；シクロ（低級）アルキル；シクロ（低級）アルキルオキシ；アリール；アリールオキシ；複素環；複素環オキシ］
で示される化合物である組成物。
【請求項１２】  Ａの官能性誘導体が、塩、エーテル、エステルまたはアミドである、請求項１１記載の組成物。
【請求項１３】  Ａが式−ＣＯＮＲ’Ｒ”（式中、Ｒ’およびＲ”はそれぞれ水素、低級アルキル、アリール、アルキル−またはアリール−スルホニル、低級アルケニルおよび低級アルキニル）で示される、請求項１２記載の組成物。
【請求項１４】  プロスタグランジン関連化合物が１５位の炭素原子の後に、炭素数６個以上の直鎖基を有する、請求項１１記載の組成物。
【請求項１５】  プロスタグランジン関連化合物が、ドコサノイドである請求項１４記載の組成物。
【請求項１６】  プロスタグランジン関連化合物が、１５位の炭素原子の後に炭素数３以上の直鎖基を有し、オメガ鎖末端に環状基を有している、請求項１１記載の組成物。
【請求項１７】  環状基がフェニル環である、請求項１６記載の組成物。
【請求項１８】  １日１回以上、６ヶ月以上投与するのに適したものである、請求項１５記載の組成物。
【請求項１９】  １日２回、６ヶ月以上投与するのに適したものである、請求項１８記載の組成物。
【請求項２０】  ヒト患者が白人種である、請求項２または１１記載の組成物。
【手続補正書】
【提出日】平成19年7月5日(2007.7.5)
【手続補正１】
【補正対象書類名】明細書
【補正対象項目名】特許請求の範囲
【補正方法】変更
【補正の内容】
【特許請求の範囲】
【請求項１】  虚血症状発現の最後の発症前に、１ｇ〜２ｇの範囲の遊離CDP−コリンに相当する量の日用量で被験者に投与するための、CDP−コリンまたはその製薬上許容できる塩を含む脳虚血の予防的治療用医薬組成物。
【請求項２】  CDP−コリンの製薬上許容できる塩が、無水形または水和形の、アルカリ金属塩若しくはアルカリ土類金属塩、または塩酸、臭化水素酸、硫酸、酢酸、トリフルオロ酢酸、クエン酸、乳酸、マロン酸、酒石酸、アクリル酸、メタクリル酸、リンゴ酸、マレイン酸、フマル酸、安息香酸、サリチル酸、桂皮酸、メタンスルホン酸、ベンゼンスルホン酸、ｐ−トルエンスルホン酸およびニコチン酸からなる群から選択される鉱酸または有機酸との塩である、請求項１記載の医薬組成物。
【請求項３】  急性虚血事態を被る危険のある被験者の治療のための、請求項１記載の医薬組成物。
【請求項４】  大手術を受ける被験者の治療のための、請求項１記載の医薬組成物。
【請求項５】  被験者がヒトの患者である、請求項１〜４のいずれか１項記載の医薬組成物。
【請求項６】  CDP−コリンまたはその製薬上許容できる塩を含む脳虚血の予防的治療用医薬組成物。
【手続補正書】
【提出日】平成18年12月15日(2006.12.15)
【手続補正１】
【補正対象書類名】明細書
【補正対象項目名】特許請求の範囲
【補正方法】変更
【補正の内容】
【特許請求の範囲】
【請求項１】
水素の酸化触媒を含むアノードであって、前記触媒は白金およびパラジウムを含まない平均粒子サイズが１００オングストローム未満の金属粒状物であるアノードと、
カソード、並びに
前記アノードと前記カソードとの間にイオン伝導を与える電解質、
とを含む燃料電池。
【請求項２】
前記粒状物の平均粒子サイズが１０〜７０オングストロームである、請求項１に記載の燃料電池。
【請求項３】
前記粒状物の平均粒子サイズが１０〜５０オングストロームである、請求項１に記載の燃料電池。
【請求項４】
前記粒状物がニッケル金属を含む請求項１に記載の燃料電池。
【請求項５】
前記粒状物がニッケル合金を含む請求項１に記載の燃料電池。
【請求項６】
前記ニッケル合金が、Ａｌ、Ｃｏ、Ｓｎ、Ｍｎ、Ｔｉ、おおびＦｅからなる群より選択される少なくとも一つの元素を含む、請求項５に記載の燃料電池。
【請求項７】
前記ニッケル合金が、ＮｉＣｏ合金、ＮｉＭｎ合金、ＮｉＣｏＡｌ合金、ＮｉＣｏＭｎＴｉ合金、およびＮｉＣｏＭｎＦｅ合金からなる群より選択される合金である、請求項５に記載の燃料電池。
【請求項８】
前記触媒がさらに前記粒状物のための担体を含む請求項１に記載の燃料電池。
【請求項９】
前記担体が少なくとも一つの酸化物を含む請求項８に記載の燃料電池。
【請求項１０】
前記燃料電池が、プロトン交換膜（ＰＥＭ）燃料電池、アルカリ燃料電池、リン酸燃料電池、溶融炭酸塩燃料電池、および固体酸化物燃料電池からなる群より選択される請求項１に記載の燃料電池。
【請求項１１】
前記電解質がプロトン交換膜である、すなわちＰＥＭ燃料電池である、請求項１に記載の燃料電池。
【請求項１２】
水素の酸化触媒を含むアノードであって、前記触媒は平均粒子サイズが１００オングストローム未満の金属粒状物であり、さらに前記金属粒状物はニッケル金属および／またはニッケル合金であるアノードと、
カソード、並びに
前記アノードと前記カソードとの間にイオン伝導を与える電解質、
とを含む燃料電池。
【請求項１３】
前記ニッケル合金が白金およびパラジウムを含まない請求項１２に記載の燃料電池。
【請求項１４】
前記粒状物の平均粒子サイズが１０〜７０オングストロームである、請求項１２に記載の燃料電池。
【請求項１５】
前記粒状物の平均粒子サイズが１０〜５０オングストロームである、請求項１２に記載の燃料電池。
【請求項１６】
前記ニッケル合金が、Ａｌ、Ｃｏ、Ｓｎ、Ｍｎ、Ｔｉ、おおびＦｅからなる群より選択される少なくとも一つの元素を含む、請求項１２に記載の燃料電池。
【請求項１７】
前記ニッケル合金が、ＮｉＣｏ合金、ＮｉＭｎ合金、ＮｉＣｏＡｌ合金、ＮｉＣｏＭｎＴｉ合金、およびＮｉＣｏＭｎＦｅ合金からなる群より選択される合金である、請求項１２に記載の燃料電池。
【請求項１８】
前記触媒がさらに前記粒状物のための担体を含む請求項１２に記載の燃料電池。
【請求項１９】
前記担体が少なくとも一つの酸化物を含む請求項１８に記載の燃料電池。
【請求項２０】
前記燃料電池が、プロトン交換膜（ＰＥＭ）燃料電池、アルカリ燃料電池、リン酸燃料電池、溶融炭酸塩燃料電池、および固体酸化物燃料電池からなる群より選択される請求項１２に記載の燃料電池。
【請求項２１】
前記電解質がプロトン交換膜である、すなわちＰＥＭ燃料電池である、請求項１２に記載の燃料電池。
【手続補正書】
【提出日】平成19年6月5日(2007.6.5)
【手続補正１】
【補正対象書類名】明細書
【補正対象項目名】特許請求の範囲
【補正方法】変更
【補正の内容】
【特許請求の範囲】
【請求項１】  表面の少なくとも一部に適用されたコーティングを含むエアバッグファブリックであって、前記コーティングは、少なくとも２つの層を含み、その第１の層はエアバッグファブリックの少なくとも一部と接触し、かつ少なくとも１種の非コーティング材料であり、その第２の層は、該第１の層の少なくとも一部のためのコーティングであり、かつ前記第１の層のコーティング材料以外の少なくとも１種の非シリコーン化合物および少なくとも１種のシリコーン化合物からなる群の中から選ばれた、該第１の層に十分なエージング安定性を提供する少なくとも１種の材料であるエアバッグファブリック。
【請求項２】  該第１の層の該非シリコーンコーティング材料が、ポリウレタン、ポリアクリレート、ブチルゴム、ＥＰＤＭ、クロロプレン、ネオプレン、ポリアミド、水素化ニトリルゴム、エチレン−酢酸ビニルコポリマー、それらのいずれかの混合物または分散物からなる群の中から選ばれる少なくとも１種の化合物である請求項１に記載のエアバッグファブリック。
【請求項３】  該第２の層が、少なくとも１種のシリコーン化合物を含む請求項２に記載のコーティングシステム。
【請求項４】  該第１の層が約０．６から約１．５オンス／平方ヤードまでの量でエアバッグファブリックに適用されている請求項２に記載のエアバッグファブリック。
【請求項５】  該第１の層が約０．３から約２．５オンス／平方ヤードまでの量でエアバッグファブリックに適用され、該第２の層が約０．３から約２．５オンス／平方ヤードまでの量で該第１の層の少なくとも一部に適用されている請求項２に記載のエアバッグファブリック。
【請求項６】  該第１の層が、ポリアクリレートおよびポリウレタンの分散物から形成される請求項２に記載のエアバッグファブリック。
【請求項７】  該第１の層が、水性分散物から形成される請求項１に記載のエアバッグファブリック。
【請求項８】  該第１の層のコーティング材料が、６００ｐｓｉを超える引っ張り強さ、およびその初期長さの１００〜６００％の破断時伸びを示す請求項１に記載のエアバッグファブリック。
【手続補正書】
【提出日】平成19年5月8日(2007.5.8)
【手続補正１】
【補正対象書類名】明細書
【補正対象項目名】特許請求の範囲
【補正方法】変更
【補正の内容】
【特許請求の範囲】
【請求項１】  入力のディジタル平文または暗号文の、ブロック各々を、出力のディジタル暗号文または平文の、ブロック各々に、暗号化または復号するための、機器で用いる暗号方法であって、
バイトスワップ、ワードスワップ、反転演算、加算、およびｍｏｄ（２n）乗算の演算（ｎは事前定義済みの整数）の、事前定義済みシーケンスを、プリミティブＦ（ｘ）として含む所定のプロシージャを通して、前記ディジタル平文または暗号文ブロックを、各々前記出力ディジタル暗号文または平文ブロックに変換するステップを備え、前記演算は集合的に前記プリミティブを実施するがｍｏｄ（Ｍ）の値を計算することはなく、Ｍは大きな素数であり、前記プリミティブは短縮された処理時間を呈し、以下の式、
ｘS←ｗｏｒｄｓｗａｐ（ｘ）
ｙ←Ａｘ＋ＢｘSｍｏｄ（２n）
ｙS←ｗｏｒｄｓｗａｐ（ｙ）
ｚ←ＣｙS＋ｙＤｍｏｄ（２n）
θ←ｚ＋ｙSＥｍｏｄ（２n）
に従って、前記プリミティブＦ（ｘ）を実施し、
係数Ａ、Ｂ、Ｃ、ＤおよびＥは、それぞれ２n以下のランダムな奇数の整数であり、
θは出力ストリングである
ことを特徴とする暗号方法。
【請求項２】  平文と暗号文の前記ディジタルブロックは、両方ともｎビット長であることを特徴とする請求項１に記載の暗号方法。
【請求項３】  Ｍは２31−１以上の素数であることを特徴とする請求項１に記載の暗号方法。
【請求項４】  請求項１に記載の各ステップを実行するためのコンピュータ実行可能命令を記録したことを特徴とするコンピュータ読み取り可能な記録媒体。
【請求項５】  入力のディジタル平文または暗号文の、ブロック各々を、出力のディジタル暗号文または平文の、ブロック各々に、暗号化または復号するための、機器で用いる暗号方法であって、
バイトスワップ、ワードスワップ、反転演算、加算、およびｍｏｄ（２n）乗算の演算（ｎは事前定義済みの整数）の、事前定義済みシーケンスを、プリミティブＦ（ｘ）として含む所定のプロシージャを通して、前記ディジタル平文または暗号文ブロックを、各々前記出力ディジタル暗号文または平文ブロックに変換するステップを備え、前記演算は集合的に前記プリミティブを実施するがｍｏｄ（Ｍ）の値を計算することはなく、Ｍは大きな素数であり、前記プリミティブは短縮された処理時間を呈し、以下の式、
ｙ←Ａｘｍｏｄ（２n）
ｙS←ｗｏｒｄｓｗａｐ（ｙ）
ｚ←ＢｙSｍｏｄ（２n）
ｚS←ｗｏｒｄｓｗａｐ（ｚ）
ｖ←ＣｚSｍｏｄ（２n）
ｖS←ｗｏｒｄｓｗａｐ（ｖ）
ｗ←ＤｖSｍｏｄ（２n）
ｗS←ｗｏｒｄｓｗａｐ（ｗ）
ｔ←ＥｗSｍｏｄ（２n）
θ←ｔ＋ＬｙSｍｏｄ（２n）
に従って、前記プリミティブＦ（ｘ）を実施し、
係数Ａ、Ｂ、Ｃ、ＤおよびＥは、それぞれ２n以下のランダムな奇数の整数であり、
Ｌは２n以下のランダムな整数であり、
θは出力ストリングである
ことを特徴とする暗号方法。
【請求項６】  Ｍは２31−１以上の素数であることを特徴とする請求項５に記載の暗号方法。
【請求項７】  平文と暗号文の前記ディジタルブロックは、両方ともｎビット長であることを特徴とする請求項５に記載の暗号方法。
【請求項８】  請求項５に記載の各ステップを実行するためのコンピュータ実行可能命令を記録したことを特徴とするコンピュータ読み取り可能な記録媒体。